(57)【特許請求の範囲】
【請求項１】
畳床としての芯材に畳表が貼り付けられている畳フローリング材であって、
前記畳フローリング材及び前記芯材の横方向の辺及び縦方向の辺のうち、前記畳表に用いられているイ草の丈の方向に沿った辺を横方向の辺としたとき、
前記畳フローリング材は、当該畳フローリング材の横方向の辺の長さ及び縦方向の辺の長さのうち、少なくとも前記横方向の辺の長さが８００ｍｍ〜２００ｍｍの範囲内であり、厚みが３０ｍｍ〜１０ｍｍの範囲内であって、
前記畳表は、前記芯材の上面と、前記芯材の横方向の辺に沿う横方向端面と、前記芯材の縦方向の辺に沿う縦方向端面と、前記芯材の下面の周縁部に形成される帯状の畳表接着しろとを覆うように前記芯材に貼り付けられており、
前記芯材の下面には、滑り止め部材が設けられており、前記滑り止め部材は、滑り止めの効果を有するシート状部材であって、当該シート状部材の平面形状は、四角形状をなし、横方向の長さ及び縦方向の長さが前記畳フローリング材の横方向の長さ及び縦方向の長さ以下であって、前記畳フローリング材の前記横方向の辺及び縦方向の辺からそれぞれ所定の長さだけ突出するように当該畳フローリング材の下面に貼り付けられていることを特徴とする畳フローリング材。
【請求項２】
請求項１に記載の畳フローリング材において、
前記芯材の横方向の辺の長さをαとし、前記芯材の縦方向の辺の長さをβとし、前記芯材の厚みをγとし、前記畳表接着しろにおいて接着される前記畳表の接着幅をδとしたとき、
前記畳表を展開した状態の当該畳表の横方向の長さは、ほぼα＋２γ＋２δの長さを有し、
前記畳表を展開した状態の当該畳表の縦方向の長さは、ほぼβ＋２γ＋２δの長さを有し、
前記畳表の横方向の長さのうち、芯材の厚みγに前記畳表の接着幅δを加えた長さに対応する部分を、前記横方向において相反する２方向に延出するそれぞれの横方向延出部とし、前記畳表の縦方向の長さのうち、芯材の厚みγに前記畳表の接着幅δを加えた長さに対応する部分を、前記縦方向において相反する２方向に延出するそれぞれの縦方向延出部としたとき、当該畳表の横方向延出部と畳表の縦方向延出部との共通部分の少なくとも一部を含む所定範囲が切除されていることを特徴とする畳フローリング材。
【請求項３】
請求項１又は２に記載の畳フローリング材において、
前記芯材は、当該芯材の四隅の各角部に、前記畳表２枚分の厚みに相当する面取り部がそれぞれ形成されており、前記面取り部は、前記芯材の前記横方向端面の端部から当該横方向端面に沿って所定長さだけ離間した位置を起点に、前記縦方向端面の端部から当該縦方向端面に沿って畳表２枚分の厚みに相当する長さだけ離間した位置に向かって前記芯材が斜めに切り欠かれてなるものであることを特徴とする畳フローリング材。
【請求項４】
請求項１〜３のいずれかに記載の畳フローリング材において、
前記畳フローリング材の平面形状は、短冊状であることを特徴とする畳フローリング材。
【請求項５】
請求項４に記載の畳フローリング材において、
前記畳フローリング材における横方向の辺の長さは約６００ｍｍ、前記縦方向の辺の長さは約１５０ｍｍであることを特徴とする畳フローリング材。
【請求項６】
請求項１〜３のいずれかに記載の畳フローリング材において、
前記畳フローリング材の平面形状は、正方形状であることを特徴とする畳フローリング材。
【請求項７】
請求項６に記載の畳フローリング材において、
前記畳フローリング材における横方向の辺の長さ及び縦方向の辺の長さはそれぞれ約４５０ｍｍ又は約３００ｍｍであることを特徴とする畳フローリング材。
【請求項８】
請求項１〜７のいずれかに記載の畳フローリング材において、
前記芯材は、前記横方向端面及び縦方向端面が上面から下面に向かって内側に傾斜する傾斜面となっていることを特徴とする畳フローリング材。
【請求項９】
請求項１〜８のいずれかに記載の畳フローリング材において、
前記芯材の上面と前記畳表との間にはクッション材が介在されていることを特徴とする畳フローリング材。
【請求項１０】
請求項１〜９のいずれかに記載の畳フローリング材において、
前記畳表接着しろから外れる前記芯材の下面の所定範囲には、前記畳表の厚みとほぼ同じか前記畳表の厚みよりもわずかに厚い凸状台座部が形成されていることを特徴とする畳フローリング材。
【請求項１１】
請求項１０に記載の畳フローリング材において、
前記凸状台座部は、前記芯材に接着されている添え板であることを特徴とする畳フローリング材。
【請求項１２】
請求項１０に記載の畳フローリング材において、
前記凸状台座部は、前記芯材と一体形成されていることを特徴とする畳フローリング材。
【発明の詳細な説明】
【技術分野】
【０００１】
本発明は、畳表を用いた畳フローリング材に関する。
【背景技術】
【０００２】
畳は日本家屋の伝統的な床材として広く用いられてきたが、最近では、住宅の洋風化に伴い、木製のフローリング材などを敷設した床（木製フローリング床という。）の洋間が多くなってきている。このため、畳の部屋は減少しつつある。
【０００３】
しかしながら、住宅の建築後、例えば、木製フローリング床の部屋において、畳の感触を味わいたいと考える人は相変わらず多く、木製フローリング床の一部又は全面を畳敷きとするようなリフォームを行う人も多い。
【０００４】
このように、従来から、洋間であっても畳の感触を味わいたいという要望は多く、このようなユーザーの要望に応えるために、畳をフローリング材として使用可能とする技術は従来から種々提案されている（例えば、特許文献１及び特許文献２）。
【０００５】
特許文献１には畳をフローリング材として使用可能とするための畳フローリング材が開示されており、特許文献２には、畳をフローリング材として使用可能とするための畳の囲い枠が開示されている。
【０００６】
図１３は、特許文献１に開示されているフローリング用の畳８００を説明するために示す図である。図１４は、特許文献２に開示されている畳の囲い枠９００を説明するために示す図である。
【０００７】
特許文献１に開示されているフローリング用の畳８００は、畳をフローリング材として使用可能とするために、畳の薄型・軽量化を可能とし、かつ、高い曲げ強度を有することにより、容易に、木製フローリング床の一部の面又は全面を畳敷きとすることが可能であるとしている。特に、フローリング用の畳８００を薄型とした場合、部屋の一部を畳敷きとする場合において、フローリング床との段差を少なくすることができるとしている。ここで、薄型・軽量化が可能となり、かつ、高い曲げ強度が得られるようにしたのは、芯材として、発砲樹脂体の表面に繊維補強熱可塑性樹脂シートを溶着した積層成型品を用いているからである。
【０００８】
一方、特許文献２に開示されている畳の囲い枠９００は、フローリング床の一部の面を畳敷きとする場合において、枠体９１０で複数枚の畳９２０を囲うことによって個々の畳が動かないようにするためのものであり、畳の枚数や畳の敷き方などに応じて枠体９１０の大きさを自由に調整可能としている。
【先行技術文献】
【特許文献】
【０００９】
【特許文献１】実用新案登録第３０３８９４２号公報
【特許文献２】特開２００１−１２３６４４号公報
【発明の概要】
【発明が解決しようとする課題】
【００１０】
特許文献１に開示されているフローリング用の畳８００は、図１３からも明らかなように、畳縁（畳べり）を有しており、見た目は、一般的な畳と殆ど同じである。このため、当該畳８００を洋間に敷設した場合、洋間の造りのなかに、一般的な畳と見た目には同様の畳が敷設されていることとなり、部屋全体の調和が失われるおそれがある。また、特許文献１に開示されているフローリング用の畳８００は、部屋の一部を畳敷きとする場合についての工夫は特になされていない。すなわち、部屋の一部（例えば、部屋の中央部）を畳敷きとする場合には、個々の畳が動かないようにするための工夫などが必要であるが、特許文献１に開示されているフローリング用の畳８００においては、このような工夫については言及していない。
【００１１】
一方、特許文献２に開示されている畳の囲い枠９００は、複数枚の畳を枠体９１０で囲うことができるため、枠体９１０で囲まれている畳を固定することは可能であるが、枠体９１０の存在が邪魔となる場合もある。
【００１２】
また、枠体９１０はセルロース系微粉粒と樹脂とを混合し、それを溶融して形成されているものであるため、畳とは全く異なった質感となり、見た目に違和感を与える場合もある。また、このように形成されている枠体９１０は、畳よりも硬い材質であるため、枠体９１０に足のつま先をぶつけた場合には、つま先に相当の痛みを与えることとなる。
【００１３】
このように、従来の技術においては、いずれの場合も、畳を一般的な木製フローリング材と同様の雰囲気を醸し出すのは困難であり、結局は、「洋間を畳敷きにしただけ」又は「洋間の一部を畳敷きとしただけ」といった程度にとどまってしまうのが実情である。
【００１４】
洋間の一部又は全部に畳を敷く場合には、洋間の雰囲気を損なわないようにすることが多くの人が望むところである。このため、特許文献１に開示されているフローリング用の畳８００及び特許文献２に開示されている畳の囲い枠９００ではその要望を満たすことはできない。
【００１５】
ところで、特許文献１に開示されているフローリング用の畳８００及び特許文献２に開示されている畳の囲い枠９００おいては、畳のサイズについてはそれぞれの発明の要旨とするところではない。ここで、従来の一般的な畳のサイズは、江戸間サイズ、京間サイズ、団地サイズなど種々のサイズが存在するが、基本的には、幅が３尺（約９００ｍｍ）、長さが６尺（約１８００ｍｍ）というのが一般的である。勿論、このようなサイズ以外にも、例えば、９００ｍｍ×９００ｍｍといった正方形のものなども存在するが、これらの畳を製造するには、畳表の原料となる「イ草」は、少なくとも、１０００ｍｍ程度の長さが必要である。
【００１６】
しかしながら、イ草は天然素材であるため、刈り取った「イ草」のすべてが、１０００ｍｍ以上の長さを有しているとは限らず、上記した寸法の畳を製造する際には、数十％のイ草が長さ不足となってしまうのが実情である。
【００１７】
そこで本発明は、洋間の雰囲気を損なうことなく畳の感触を味わうことができ、かつ、刈り取った「イ草」を有効利用することができる畳フローリング材を提供することを目的とする。
【課題を解決するための手段】
【００１８】
［１］本発明の畳フローリング材は、畳床としての芯材に畳表が貼り付けられている畳フローリング材であって、前記畳フローリング材及び前記芯材の横方向の辺及び縦方向の辺のうち、前記畳表に用いられているイ草の丈の方向に沿った辺を横方向の辺としたとき、前記畳フローリング材は、当該畳フローリング材の横方向の辺の長さ及び縦方向の辺の長さのうち、少なくとも前記横方向の辺の長さが８００ｍｍ〜２００ｍｍの範囲内であり、厚みが３０ｍｍ〜１０ｍｍの範囲内であって、前記畳表は、前記芯材の上面と、前記芯材の横方向の辺に沿う横方向端面と、前記芯材の縦方向の辺に沿う縦方向端面と、前記芯材の下面の周縁部に形成される帯状の畳表接着しろとを覆うように前記芯材に貼り付けられていることを特徴とする。
【００１９】
本発明の畳フローリング材によれば、畳表によって芯材の上面を覆うとともに端面から下面の周縁部までを覆った状態とするため、畳表の切断面が人目につくところに現れることがない。これにより、一般的な畳に設けられている畳縁（畳べり）を特に設ける必要がないため、洋間の雰囲気を損なわないようにすることができる。また、畳フローリング材の横方向の長さを８００ｍｍ〜２００ｍｍとしているため、一般的な畳においては不適合となった長さのイ草をも使用可能となり、刈り取った「イ草」を有効利用することができる。
【００２０】
また、畳フローリング材の厚みを３０ｍｍ〜１０ｍｍとしている。畳フローリング材の厚みをこのような厚みとすることにより、一般的な木製のフローリング材とほぼ同様に扱うことができる。なお、畳フローリング材の厚みは、２０ｍｍ以下とすることが、より好ましい。畳フローリング材の厚みを２０ｍｍ以下とすることにより、本発明の畳フローリング材を部屋の一部の所定範囲に複数枚敷き詰めるようにして用いる場合においては、元々の床材との段差を小さくすることができる。
【００２１】
［２］本発明の畳フローリング材においては、前記芯材の横方向の辺の長さをαとし、前記芯材の縦方向の辺の長さをβとし、前記芯材の厚みをγとし、前記畳表接着しろにおいて接着される前記畳表の接着幅をδとしたとき、前記畳表を展開した状態の当該畳表の横方向の長さは、ほぼα＋２γ＋２δの長さを有し、前記畳表を展開した状態の当該畳表の縦方向の長さは、ほぼβ＋２γ＋２δの長さを有し、前記畳表の横方向の長さのうち、芯材の厚みγに前記畳表の接着幅δを加えた長さに対応する部分を、前記横方向において相反する２方向に延出するそれぞれの横方向延出部とし、前記畳表の縦方向の長さのうち、芯材の厚みγに前記畳表の接着幅δを加えた長さに対応する部分を、前記縦方向において相反する２方向に延出するそれぞれの縦方向延出部としたとき、当該畳表の横方向延出部と畳表の縦方向延出部との共通部分の少なくとも一部を含む所定範囲が切除されていることが好ましい。
【００２２】
畳表の寸法（横方向及び縦方向の長さ）を上記のような寸法とすることにより、畳表が芯材の上面を覆うとともに端面から下面の周縁部までを覆った状態とすることができる。また、畳表の横方向延出部と縦方向延出部との共通部分の少なくとも一部が切除されていることにより、横方向延出部及び縦方向延出部を芯材の角部において折り重ねるような「角部の折り曲げ処理」を容易に行うことができる。
【００２３】
なお、「ほぼα＋２γ＋２δの長さ」というのは、α＋２γ＋２δの長さに対して、±２０ｍｍの範囲を許容することを意味している。同様に、「ほぼβ＋２γ＋２δの長さ」というのは、β＋２γ＋２δの長さに対して、±２０ｍｍの範囲を許容することを意味している。。
【００２４】
［３］本発明の畳フローリング材においては、前記芯材は、当該芯材の四隅の各角部に、前記畳表２枚分の厚みに相当する面取り部がそれぞれ形成されていることが好ましい。
【００２５】
このような面取り部が形成されていることにより、当該面取り部において、畳表を折り重ねるような「角部の折り曲げ処理」を行った場合に、畳表を折り重ねることによる畳表の膨らみを吸収することができる。すなわち、面取り部において、畳表が部分的に例えば３枚分重なった場合、そのうちの２枚分の厚みが余分な厚みとなるが、畳表２枚分程度の厚みに相当する面取りが形成されていることにより、当該面取り部によって折り重ねにより生じる畳表２枚分程度の厚みを吸収することができる。それによって、畳フローリング材における上面側の各辺は、それぞれの辺における端部から端部までがほぼ一直線となるため、敷設工程が終了した状態においては、隣接する各畳フローリング材は、外観上、隙間なく敷き詰めることができる。なお、「畳表２枚分の厚みに相当」というのは、畳表の厚みを、１．５ｍｍ〜２ｍｍとした場合には、３ｍｍ〜４ｍｍの範囲内となる。
【００２６】
［４］本発明の畳フローリング材においては、前記畳フローリング材の平面形状は、短冊状であることが好ましい。
【００２７】
畳フローリング材の平面形状が短冊状であることにより、当該畳フローリング材は一般的な木製フローリング材と似た形状となるため、一般的な木製フローリング材と同様に扱うことができる。
【００２８】
［５］本発明の畳フローリング材においては、前記畳フローリング材における横方向の辺の長さは約６００ｍｍ、前記縦方向の辺の長さは約１５０ｍｍであることが好ましい。
【００２９】
短冊状の畳フローリング材をこのようなサイズとすることにより、一般的な木製フローリング材と同様に扱うことができ、敷設工事も一般的な木製フローリング材とほぼ同様に行うことができる。また、畳フローリング材をこのようなサイズを有する短冊状とすることにより、本発明の畳フローリング材を例えば洋間に敷設した場合においても、洋間の雰囲気を損なわないようにすることができる。
【００３０】
なお、横方向の辺の長さを「約６００ｍｍ」、縦方向の辺の長さを「約１５０ｍｍ」としたのは、京間サイズ、中京間サイズ、江戸間サイズ、団地サイズなどに対応可能とするためである。ここで、「約６００ｍｍ」というは、５５０ｍｍ〜６５０ｍｍの範囲内であり、「約１５０ｍｍ」というは、１４０ｍｍ〜１６０ｍｍの範囲内である。
【００３１】
［６］本発明の畳フローリング材においては、前記畳フローリング材の平面形状は、正方形状であることもまた好ましい。
【００３２】
このように畳フローリング材は正方形であってもよく、このような形状であっても一般的な木製フローリングと同様に扱うことができる。
【００３３】
［７］本発明の畳フローリング材においては、前記畳フローリング材における横方向の辺の長さ及び縦方向の辺の長さはそれぞれ約４５０ｍｍ又は約３００ｍｍであることが好ましい。
【００３４】
正方形状の畳フローリング材をこのようなサイズとすることにより、木製の一般的な木製フローリング材と同様に扱うことができ、敷設工事も一般的な木製フローリング材とほぼ同様に行うことができる。また、畳フローリング材をこのようなサイズを有する正方形とすることにより、本発明の畳フローリング材を例えば洋間に敷設した場合においても、洋間の雰囲気を損なわないようにすることができる。
【００３５】
なお、この場合、正方形の畳フローリング材のサイズ（一辺のサイズ）を「約４５０ｍｍ」又は「約３００ｍｍ」としたのは、京間サイズ、中京間サイズ、江戸間サイズ、団地サイズなどに対応可能とするためである。ここで、「約４５０ｍｍ」というは、４２０ｍｍ〜４８０ｍｍの範囲内であり、「約３００ｍｍ」というは、２８０ｍｍ〜３２０ｍｍの範囲内である。
【００３６】
［８］本発明の畳フローリング材においては、前記芯材は、前記横方向端面及び縦方向端面が上面から下面に向かって内側に傾斜する傾斜面となっていることが好ましい。
【００３７】
このような構成とすることにより、敷設工事が終了した状態においては、隣接する各畳フローリング材は、外観上、隙間なく敷き詰められた状態となる。すなわち、芯材の横方向端面及び縦方向端面（各端面ともいう。））が芯材の上面から下面に向かって内側に傾斜する傾斜面となっていることにより、畳フローリング材においても当該畳フローリング材の各端面が内側に傾斜する傾斜面となる。このため、隣接する畳フローリング材同士は、端面同士の「面接触」ではなく、上面側の辺同士の「線接触」によって接触することとなる。
【００３８】
これにより、隣接する各畳フローリング材に隙間が目立ちにくくなる。これは、隣接する畳フローリング材同士が各端面において面接触で接触していると、畳フローリング材の各端面に存在する畳表のわずかな膨らみなどの影響を受けて隙間が生じ易くなるが、隣接する畳フローリング材の上面側の辺と辺とによる線接触で接触している場合には、そのような影響を受けにくいからである。
【００３９】
［９］本発明の畳フローリング材においては、前記芯材の上面と前記畳表との間にはクッション材が介在されていることが好ましい。
【００４０】
このような構成とすることにより、畳フローリング材を敷設した後において、歩いたり座ったりしたときの感触を心地よいものとすることができる。
【００４１】
［１０］本発明の畳フローリング材においては、前記畳表接着しろから外れる前記芯材の下面の所定範囲には、前記畳表の厚みとほぼ同じか前記畳表の厚みよりもわずかに厚い凸状台座部が形成されていることが好ましい。
【００４２】
このような構成とすることにより、畳フローリング材の下面（床材との接触面）をほぼ平坦とすることができ、畳フローリング材を床材に接着する際に、畳フローリング材を確実に接着することができる。また、畳フローリング材を床材に接着せずに、単に敷くだけの場合においても、畳フローリング材を平坦に敷き詰めることができる。
【００４３】
［１１］本発明の畳フローリング材においては、前記凸状台座部は、前記芯材に接着されている添え板であることが好ましい。
【００４４】
このように添え板を貼り付けることによって台座を形成することにより、畳フローリング材の製造工程の順序に融通性を持たせることができる。例えば、添え板が貼り付けられていない状態の方が作業し易い工程が存在する場合には、当該工程を行ったのちに添え板の貼り付けを行うといったことが可能となる。
【００４５】
［１２］本発明の畳フローリング材においては、前記凸状台座部は、前記芯材と一体形成されていることが好ましい。
【００４６】
このような構成とすることにより、台座部を形成するための部材を別に用意する必要がなかなり、また、台座部を形成するための工程をなくすことができる。
【００４７】
［１３］本発明の畳フローリング材においては、前記芯材の下面には、滑り止め部材が設けられていることが好ましい。
【００４８】
このような構成とすることにより、部屋の一部の所定範囲に本発明の畳フローリング材を複数枚敷設する場合であっても、枠体などを設けることなく敷設することができる。このため、専門業者などに施工してもらう必要がなく、容易に好みのスペースに畳フローリング材を敷設することができる。
【００４９】
［１４］本発明の畳フローリング材においては、前記滑り止め部材は、滑り止めの効果を有するシート状部材であって、当該シート状部材の平面形状は、前記畳フローリング材の形状と対応した形状をなし、横方向の長さ及び縦方向の長さが前記畳フローリング材の横方向の長さ及び縦方向の長さ以下であって、前記畳フローリング材の前記横方向の辺及び縦方向の辺からそれぞれ所定の長さだけ突出するように当該畳フローリング材の下面に貼り付けられていることが好ましい。
【００５０】
このような構成とすることにより、本発明の畳フローリング材を各畳フローリング同士が隣接するように敷設した場合、隣接する畳フローリング材におけるそれぞれの滑り止めシートの突出部分（横方向の辺及び縦方向の辺から突出している部分）同士が重なり合ってしまうといったことをなくすことができる。それによって、本発明の畳フローリング材を部屋の一部の所定範囲に敷き詰めるように敷設した場合、滑り止めシートの重なり合いによる段差が生じることなく、敷設範囲全体を平坦とすることができる。
【図面の簡単な説明】
【００５１】
【図１】実施形態１に係る畳フローリング材１００の外観を示す斜視図である。
【図２】実施形態１に係る畳フローリング材１００を各方向から見た図である。
【図３】芯材１１０の斜視図である。図４は、芯材１１０を各方向から見た場合を示す図である。
【図４】芯材１１０を各方向から見た場合を示す図である。
【図５】畳フローリング材１００の製造工程を説明するために示す図である。
【図６】畳フローリング材１００の製造工程を説明するために示す図である。
【図７】畳フローリング材１００を部屋３００に敷設する際の施工例について説明するために示す図である。
【図８】敷設の仕方の変形例を説明するために示す図である。
【図９】実施形態２に係る畳フローリング材２００を説明するために示す図である。
【図１０】畳フローリング材２００の敷設の仕方を説明するために示す図である。
【図１１】部屋３００の一部の所定範囲に複数枚の畳フローリング材２００を敷設した状態を示す図である。
【図１２】芯材１１０に形成される面取り部１１３の変形例を説明するために示す図である。
【図１３】特許文献１に開示されているフローリング用の畳８００を説明するために示す図である。
【図１４】特許文献２に開示されている畳の囲い枠９００を説明するために示す図である。
【発明を実施するための形態】
【００５２】
以下、本発明の実施形態について説明する。
【００５３】
［実施形態１］
図１は、実施形態１に係る畳フローリング材１００の外観を示す斜視図である。
図２は、実施形態１に係る畳フローリング材１００を各方向から見た図である。なお、図２（ａ）は図１に示す畳フローリング材１００の上面１０１ａをｚ軸に沿って見た場合の平面図であり、図２（ｂ）は図１に示す畳フローリング材１００のｙ−ｙ線矢視断面図であり、図２（ｃ）は図１に示す畳フローリング材１００のｘ−ｘ線矢視断面図であり、図２（ｄ）は図１に示す畳フローリング材１００の下面１０１ｂ（裏面１０１ｂともいう。）をｚ軸に沿って見た場合の平面図である。
【００５４】
畳フローリング材１００は、図１及び図２に示すように、畳床としての芯材１１０と、芯材１１０の上面１１１ａ（図３参照。）に貼り付けられているクッション材１２０と、芯材１１０の下面１１１ｂ（図４（ｄ）参照。）に貼り付けられている台座としての添え板１３０と、畳表１４０とを有している。
【００５５】
なお、畳フローリング材１００をｚ軸に沿って畳フローリング材１００の上面１０１ａを見たときのｘ軸に沿った方向の辺を畳フローリング材１００の横方向の辺１０２ａ，１０２ｂとし、畳フローリング材１００をｚ軸に沿って畳フローリング材１００の上面１０１ａを見たときのｙ軸の沿った方向の辺を畳フローリング材１００の縦方向の辺１０２ｃ，１０２ｄとする。ただし、実施形態１に係る畳フローリング材１００は、横方向に長い短冊状であるため、横方向の辺１０２ａ，１０２ｂを「長辺１０２ａ、１０２ｂ」、縦方向の辺１０２ｃ，１０２ｄを「短辺１０２ｃ，１０２ｄ」と表記する場合もある。
【００５６】
また、横方向の辺１０２ａ，１０２ｂ（長辺１０２ａ，１０２ｂ）及び縦方向の辺１０２ｃ，１０２ｄ（短辺１０２ｃ，１０２ｄ）は、畳フローリング材１００の上面１０１ａ側の辺であるとする。
【００５７】
畳表１４０は、藺草（以下、「イ草」と表記する。）によって製造されており、イ草の丈の方向が長辺（ｘ軸に沿った辺）に沿った方向となるように芯材１１０に貼り付けられている。また、畳表１４０は、図２（ａ）〜（ｄ）に示すように、芯材１１０の上面１１１ａ（図３及び図４参照。）、芯材１１０の各端面１１２ａ〜１１２ｄ（図３及び図４参照。）を覆った状態で芯材１１０の下面１１１ｂ（図３及び図４参照。）の周縁部全周に貼り付けられている。
【００５８】
このように構成されている畳フローリング材１００の寸法は、長辺の長さＬ１が６００ｍｍ、短辺の長さ（幅ともいう）Ｌ２が１５０ｍｍ、厚みＴ１が１７ｍｍであるとする。ここで、長辺の長さＬ１が６００ｍｍ、短辺の長さＬ２が１５０ｍｍというサイズは、日本における住宅などの間取りの基準となるサイズ（例えば、１８００ｍｍの１／ｎ（ただし、ｎは自然数）のサイズであるために、施工のし易さなど種々の面で好都合なものとなる。
【００５９】
芯材１１０は、木材を細かく砕いて粉粒状としたものを圧縮して成型したものを用いることができるが、芯材１１０の材質は特に限定されるものではない。ただし、切断などの加工が容易かつ軽量で、腐食しにくく、反りや捻じれなどが生じにくいものが好ましい。
【００６０】
図３は、芯材１１０の斜視図である。
図４は、芯材１１０を各方向から見た場合を示す図である。なお、図４（ａ）は図３に示す芯材１１０の上面１１１ａをｚ軸に沿って見た場合の平面図であり、図４（ｂ）は図３に示す芯材１１０の端面１１２ａをｙ軸に沿って見た場合の側面図であり、図４（ｃ）は図３に示す芯材１１０の端面１１２ｃをｘ軸に沿って見た場合の側面図であり、図４（ｄ）は図３に示す芯材１１０の下面１１１ｂをｚ軸に沿って見た場合の平面図である。また、芯材１１０においても、当該芯材１１０の横方向の辺１１６ａ，１１６ｂを「長辺」と表記し、芯材１１０の縦方向の辺１１６ｃ，１１６ｄを「短辺」と表記する場合もある。なお、芯材１１０の横方向の辺（長辺）１１６ａ，１１６ｂ及び縦方向の辺（短辺）１１６ｃ，１１６ｄはそれぞれ芯材１１０の上面側の辺であるとする。
【００６１】
芯材１１０の長辺１１６ａ，１１６ｂの長さα及び短辺１１６ｃ，１１６ｄの長さβは、畳フローリング材１００の寸法（長辺１０２ａ，１０２ｂの長さ６００ｍｍ及び短辺１０２ｃ，１０２ｄの長さ１５０ｍｍ）に対して、畳表１４０の厚み（約１．５ｍｍ〜２ｍｍ）分だけ小さくなっている。
【００６２】
具体的には、畳表１４０の厚みを仮に２ｍｍとすれば、芯材の長辺１１６ａ，１１６ｂの長さαは約５９６ｍｍであり、芯材の短辺１１６ｃ，１１６ｄの長さβは約１４６ｍｍである。また、芯材１１０の厚みγは、畳フローリング材１００の厚み（１７ｍｍ）に対して、畳表１４０の厚みとクッション材１２０の厚み（２ｍｍ程度）と、添え板１３０の厚みＴ２（２ｍｍ程度）の分だけ小さくなっている。すなわち、畳表１４０の厚みを２ｍｍ、クッション材１２０の厚みを２ｍｍ、添え板の厚みを３ｍｍとすれば、芯材１１０の厚みγは約１０ｍｍである。
【００６３】
また、芯材１１０は、当該芯材の各端面１１２ａ〜１１２ｄをｙ軸及びｘ軸に沿って見たときの形状が逆台形をなしている（図２（ｂ），（ｃ）及び図４（ｂ），（ｃ）参照。）。すなわち、芯材１１０は、上面１１１ａの面積よりも下面１１１ｂの面積が小さくなっており、芯材１１０の各端面１１２ａ〜１１２ｄは、それぞれが上面から下面に向かうほど内側に傾斜するような傾斜面となっている。
【００６４】
これにより、芯材１１０の上面１１１ａと各端面１１２ａ〜１１２ｄとのなす角度θ１（図２（ｂ），（ｃ）及び図４（ｂ），（ｃ）参照。）は鋭角となる。θ１は８０度程度が好ましい。なお、芯材１１０の４つの端面１１２ａ〜１１２ｄのうち、端面１１２ａ，１１２ｂを「横方向端面１１２ａ，１１２ｂ」と呼び、端面１１２ｃ，１１２ｄを「縦方向端面１１２ｃ，１１２ｄ」と呼ぶ場合もある。
【００６５】
芯材１１０の各端面１１２ａ〜１１２ｄが上記したような傾斜面となっていることにより、畳フローリング材１００の端面１０３ａ，１０３ｂ及び端面１０３ｃ，１０３ｄも芯材１１０の各端面１１２ａ〜１１２ｄと同様の傾斜面となる。なお、畳フローリング材１００においても、当該畳フローリング材１００の端面１０３ａ，１０３ｂを「横方向端面１０３ａ，１０３ｂ」と呼び、端面１０３ｃ，１０３ｄを「縦方向端面１０３ｃ，１０３ｄ」と呼ぶ場合もある。
【００６６】
また、芯材１１０は、図４に示すように、芯材１１０の四隅の各角部（横方向端面１１２ａ，１１２ｂのそれぞれの両端部）には、畳表１４０のほぼ２枚分の厚みに相当する面取り部１１３がそれぞれ形成されている。
【００６７】
この面取り部１１３は、横方向端面１１２ａ，１１２ｂの各端部から３０ｍｍ〜４０ｍｍ程度の位置を起点に芯材１１０の縦方向端面１１２ｃ、１１２ｄに向かって５度程度の角度で斜めに切り欠くことによって形成される。それによって、芯材１１０の長辺１１６ａ，１１６ｂのそれぞれの両端が縦方向（ｙ軸に沿った方向）にｃ１だけそれぞれ切り欠かれた状態となる。このため、芯材１１０の短辺１１６ｃ，１１６ｄの幅は、その分だけ狭くなっている。なお、ｃ１は３ｍｍ〜４ｍｍとし、この３ｍｍ〜４ｍｍというのはというのは、畳表１４０の２枚分の厚みに相当する。
【００６８】
なお、このような面取り部１１３を設けるのは、次のような理由によるものである。すなわち、畳表１４０を芯材１１０に貼り付ける際には、芯材１１０の四隅の各角部において畳表１４０を折り重ねるような「角部の折り曲げ処理」を行うが、このような「角部の折り曲げ処理」を行ったときに、畳表１４０の厚みによる膨らみ生じてしまい、畳フローリング材１００の縁（へり）の直線性が失われるのを防ぐためである。なお、芯材１１０の角部において行う「角部の折り曲げ処理」については後に説明する。
【００６９】
また、芯材１１０の下面１１１ｂには、図４（ｂ）〜図４（ｄ）に示すように、台座としての添え板１３０が貼り付けられている。添え板１３０は、芯材１１０の下面１１１ｂの周縁部に全周に渡って帯状の余白部１１５を残すようにして芯材１１０の下面１１１ｂに貼り付けられる。これにより、芯材１１０の下面１１１ｂにおける余白部１１５と添え板１３０との間には、当該添え板１３０の厚みＴ２（図４（ｂ），（ｃ）参照。）に相当する段差が形成される。なお、余白部１１５は、畳表１４０を接着するための「畳表接着しろ」として用いられ、当該「畳表接着しろ」における畳表１４０の接着幅δ（図２（ｄ）参照。）は３０ｍｍ程度としている。
【００７０】
また、添え板１３０の厚みＴ２は、畳表１４０の厚みと同じかわずかに厚くする。これにより、畳表１４０を余白部１１５に接着したときに畳フローリング材１００の下面側全体をほぼ同一平面か、添え板１３０の表面（床板との接触面）がわずかに出っ張る状態となるため、畳フローリング材１００を床板（図示せず。）に接着材により接着する際に、添え板１３０と床板とを確実に接触させた状態で接着することができる。
【００７１】
図５及び図６は、畳フローリング材１００の製造工程を説明するために示す図である。
まず、芯材１１０、クッション材１２０及び畳表１４０を準備する。なお、畳表１４０は、上記したように、「イ草」の丈の方向が畳フローリング材１００の長辺に沿う方向（ｘ軸に沿った方向）となるように芯材１１０に張り付けられる。
【００７２】
なお、この場合、畳フローリング材１００の横方向の長さを６００ｍｍとしているため、畳表１４０を製造するために使用する「イ草」の長さは、畳表１４０の折り曲げ部分を含めて７００ｍｍ程度あれば十分である。ちなみに、一般的な畳は、幅が約９００ｍｍであるため、イ草の長さは、少なくとも１０００ｍｍ程度必要であり、それよりも短いイ草は、一般的な畳を製造する上では、不適合品とされてしまい、廃棄されてしまう場合もある。
【００７３】
これに対して、畳フローリング材１００においては、このような不適合品とされたイ草であっても、７００ｍｍ程度の長さがあれば十分使用可能となる。このため、畳フローリング材１００においてはイ草を有効活用することができる。
【００７４】
以下、図５及び図６により畳フローリング材１００の製造工程について説明する。
【００７５】
準備した芯材１１０の上面１１１ａに接着剤（図示せず。）を塗布し、接着剤を塗布した芯材１１０にクッション材１２０を貼り付ける（図５（ａ）参照。）。なお、図５（ａ）は芯材１１０の端面１１２ａをｙ軸に沿って見た側面図である。
【００７６】
次に、クッション材１２０が貼り付けられた芯材１１０のクッション材１２０側を畳表１４０の裏面に接触させるように畳表１４０上で位置決めする（図５（ｂ）参照。）。なお、図５（ｂ）及び以下に説明する図５（ｃ）は畳表１４０を芯材１１０の上側に配置した状態を示す平面図である。このとき、畳表１４０は所定の寸法となるように予め切断しておいてもよく、また、芯材１１０を貼り付けた状態とした後に、所定の寸法となるように切断するようにしてもよい。いずれの場合も、畳表１４０は、芯材１１０の上面１１１ａの長辺１１６ａ，１１６ｂ及び短辺１１６ｃ，１１６ｄからそれぞれ４０ｍｍ程度の延出部を形成することができる大きさとする。
【００７７】
具体的には、芯材１１０の長辺１１６ａ，１１６ｂの長さをαとし、芯材１１０の短辺１１６ｃ，１１６ｄの長さをβとし、芯材１１０の厚みをγとし、畳表接着しろ（余白部１１５）において接着される畳表の接着幅をδとしたとき、畳表１４０を展開した状態の当該畳表１４０の横方向の長さＬ３は、ほぼα＋２γ＋２δの長さとし、当該畳表１４０の縦方向の長さＬ４は、ほぼβ＋２γ＋２δの長さとする。
【００７８】
なお、「ほぼα＋２γ＋２δの長さ」というのは、α＋２γ＋２δの長さに対して、±２０ｍｍの範囲を許容することを意味している。同様に、「ほぼβ＋２γ＋２δの長さ」というのは、β＋２γ＋２δの長さに対して、±２０ｍｍの範囲を許容することを意味している。
【００７９】
畳表１４０をこのような寸法に設定することにより、畳表１４０は、畳表１４０を展開したときの畳表１４０の縦方向の長さＬ４のうち、芯材１１０の厚みγに畳表１４０の接着幅δを加えた長さ（γ＋δ）だけ、芯材１１０の２つの長辺１１６ａ，１１６ｂから縦方向（ｙ軸に沿った方向）において相反する２方向にそれぞれ延出する。また、畳表１４０は、畳表１４０を展開したときの畳表１４０の横方向の長さＬ３のうち、芯材１１０の厚みγに畳表１４０の接着幅δを加えた長さ（γ＋δ）だけ、芯材１１０の２つの短辺１１６ｃ，１１６ｄから横方向（ｘ軸に沿った方向）において相反する２方向にそれぞれ延出する。
【００８０】
ここで、縦方向（ｙ軸に沿った方向）にそれぞれ延出する延出部を縦方向延出部１４１ａ，１４１ｂとし、横方向（ｘ軸に沿った方向）にそれぞれ延出する延出部を横方向延出部１４１ｃ，１４１ｄとする。なお、図５（ｂ）において、灰色で示されている部分は、縦方向延出部１４１ａ，１４１ｂと横方向延出部１４１ｃ，１４１ｄとの共通部分１４２を示している。なお、共通部分１４２は展開した状態の畳表１４０の四隅にそれぞれ存在する。
【００８１】
次に、図５（ｂ）の状態において、展開した状態の畳表１４０の四隅の所定範囲（共通部分１４２の少なくとも一部を含む所定範囲）を不要部分として切除する（図５（ｃ）参照。）。実施形態１に係る畳フローリング材１００においては、長辺に沿う方向（ｘ軸に沿う方向）及び短辺に沿う方向（ｙ軸に沿う方向）にそれぞれ切り込みを入れることによって不要部分を切除する。このとき、長辺に沿う方向においては、ｘ軸に平行となるような切断線Ｈ１に沿って切り込み、短辺方向（ｙ軸方向）においては、切断線Ｈ１に対して所定角度θ２（θ２は１１０度程度とする。）をなすような切断線Ｈ２に沿って切り込む。なお、このような不要部分の切除はプレス加工などによって行うことも可能である。
【００８２】
また、このとき、切断線Ｈ１と切断線Ｈ２との各交点Ｐ１１，Ｐ１１２，Ｐ１３，Ｐ１４のうち、交点Ｐ１１と交点Ｐ１２との間隔及び交点Ｐ１３と交点Ｐ１４との間隔（それぞれＬ５とする。）は芯材１１０の長辺１１６ａ，１１６ｂの長さαとほぼ同等とし、交点Ｐ１１と交点Ｐ１３との間隔及び交点Ｐ１２と交点Ｐ１４との間隔（それぞれＬ６とする。）は芯材１１０の短辺１１６ｃ，１１６ｄの長さβに芯材１１０の厚みγを加えた長さとすることが好ましい。なお、図５（ｂ），（ｃ）においては、芯材１１０の厚みγに畳表１４０の接着幅δを加えた長さ（γ＋δ）は、長辺１１６ａ，１１６ｂ及び短辺１１６ｃ，１１６ｄの長さに対してやや誇張して描かれている。
【００８３】
次に、畳表１４０の縦方向延出部１４１ａ、１４１ｂ及び横方向延出部１４１ｃ、１４１ｄを芯材１１０の各端面１１２ａ〜１１２ｄに沿うように折り曲げて、芯材１１０の下面（裏面）１１１ｂ側に巻き込ませるための折り曲げ工程を行う。この折り曲げ工程を図６により説明する。なお、図６は折り曲げ工程を行う際の芯材１１０の四隅の各角部のうちのある１つの角部（端面１１２ａと端面１１２ｃとの角部とする。）における折り曲げ工程について説明するための図である。
【００８４】
まずは、畳表１４０と芯材１１０との各接着部分に接着剤を塗布したのち、図６（ａ）示すように、畳表１４０の横方向延出部１４１ｃを芯材１１０の縦方向端面１１２ｃにおける短辺１１６ｃを折り目として折り曲げる。
そして、横方向延出部１４１ｃを芯材１１０の端面１１２ｃに沿わせたのち、図６（ｂ）に示すように、芯材１１０の縦方向端面１１２ｃにおける下面側の短辺１１７ｃを折り目として折り曲げて、横方向延出部１４１ｃを芯材１１０の下面（裏面）１１２ｂにおける「畳表接着しろ」としての余白部１１５（図４（ｄ）参照。）に沿わせて圧接する。このとき、畳表１４０と芯材１１０との各接着部分には接着剤が塗布されているため、畳表１４０の横方向延出部１４１ｃは図６（ｂ）の状態で芯材１１０に接着された状態となる。
【００８５】
なお、図６（ｂ）の状態においては、畳表１４０は芯材１１０の縦方向端面１１２ｃの端部に出っ張り部Ｋ（図６（ｂ）参照。）が形成される。ところで、畳表１４０を折り曲げる際には、畳表１４０にスチームを吹き付けて折り曲げる。スチームを吹き付けるのは畳表１４０を柔らかくして折り曲げやすくするためである。
【００８６】
次に、図６（ｃ）に示すように、畳表１４０の縦方向延出部１４１ａを、畳表１４０の横方向延出部１４１ｃの場合と同様に、芯材１１０の端面１１２ａにおける長辺１１６ａ及び下面側の長辺１１７ａを折り目として折り曲げる。このとき、畳表１４０には出っ張り部Ｋが形成されているため、この出っ張り部Ｋを内部に折り込むように当該出っ張り部Ｋの部分の畳表を折り重ねながら折り曲げる「角部の折り曲げ処理」を行うとともに、畳表１４０の縦方向延出部１４１ａで芯材１１０の端面１１２ａに沿わせたのちに、芯材１１０の下面１１１ｂにおける「畳表接着しろ」としての余白部１１５に沿わせて圧接する。このとき、畳表１４０と芯材１１０との各接着部分には接着剤が塗布されているため、畳表１４０の縦方向延出部１４１ａは図６（ｃ）の状態で芯材１１０に接着された状態となる。
【００８７】
図６（ａ）〜（ｃ）に示すような一連の折り曲げ工程を行うことにより、端面１１２ｃと端面１１２ａとの角部においては、図６（ｃ）のように、畳表１４０が折り重なった状態となる。なお、図６（ｃ）においては分かりにくいが、端面１１２ｃと端面１１２ａとの角部においては、畳表１４０は部分的に畳表が３枚重なった状態（三重に折り重なった状態）となる。
【００８８】
このように、畳表が三重に折り重なった状態となると、当該三重に折り重なった状態となっている箇所は、他の箇所（畳表が１枚の箇所）に比べて畳表２枚分だけ厚くなる。この畳表２枚分の厚みが畳フローリング材１００の長辺１０２ａの膨らみとなって現れ、畳フローリング材１００の長辺の直線性が失われることとなる。
【００８９】
しかし、実施形態１に係る畳フローリング材１００においては、長辺１０２ａの直線性を維持することができる。これは、図３及び図４において説明したように、芯材１１０の角部（端面１１２ａの端部）に畳表２枚分の厚みに相当する面取り部１１３が存在するからであり、当該面取り部１１３が畳表１４０を折り重ねることにより生じる厚み分を吸収するからである。
【００９０】
なお、図６（ａ）〜図６（ｃ）は、芯材１１０の４箇所の角部のうちの一箇所の角部についての説明であったが、他の角部においても同様に実施することができる。
【００９１】
ところで、上記したような畳表１４０を折り曲げる工程は、図５及び図６に示す各工程のすべてを人手によって行うことも可能であるが、これら各工程のすべて又は一部を専用の機械（図示せず。）を用いて行うことも可能である。
【００９２】
図７は、畳フローリング材１００を部屋３００に敷設する際の施工例について説明するために示す図である。図７（ａ）は施工途中の状態を示す図であり、図７（ｂ）は施工が終了した状態を示す図である。なお、図７は部屋３００を平面的に示す図であり、当該部屋３００は全体的には洋間風の造りであるとし、その広さは畳の広さに置き換えた場合、４畳半程度の広さであるとする。
【００９３】
また、図７の場合は、例えば、住宅の建設当初から畳フローリング材１００を敷設するものとして説明する。このため、畳フローリング材１００は床の下地材（合板など）の上に敷設するものとする。なお、図７においては、部屋の出入り口などは図示を省略している。
【００９４】
ここで用いる畳フローリング材１００のサイズは、上記したように長辺が６００ｍｍであり、短辺が１５０ｍｍであるとする。このような畳フローリング材１００を部屋３００に敷設するには、部屋３００の隅（例えば、図７における左上の角部とする。）から一般的な木製フローリン材と同様に、畳フローリング材１００の短辺１０２ｃを壁面３１０ａに当接させるとともに長辺１０２ｂを壁面３１０ｂに当接させた状態でｘ軸に沿って敷設して行く。
【００９５】
このとき、１列の最後尾の畳フローリング材１００の長さが余った場合には、余った長さの部分（１／２の長さ（３００ｍｍ）とする。）を切断し、当該切断された３００ｍｍの畳フローリング材を今度は、次の列（２列）の先頭となるように順次敷設して行く（図７（ａ）参照。）。このような工程を繰り返し行うことによって、部屋３００全体に畳フローリング材１００を敷設することができる（図７（ｂ）参照。）。なお、畳フローリング材１００は、畳表１４０と木材を原料とする芯材１１０とによって構成されているため、一般的な木製フローリング材と同様に容易に切断可能である。
【００９６】
上記のようにして畳フローリング材を順次敷設した場合、最終の列（１６列）において、壁面３１０ｄとの間に畳フローリング材の短辺の長さ（１５０ｍｍ）よりも小さいスペース（例えば、７０ｍｍとする。）しか残らない場合もあるが、このような場合には、畳フローリング材１００の幅が７０ｍｍとなるように切断加工して敷設する。畳フローリング材１００の幅を狭くするための切断加工は、畳フローリング材１００を長辺に沿って切断すればよい。
【００９７】
また、畳フローリング材１００と各壁面３１０ａ〜３１０ｄとが当接する箇所において、切断した畳フローリング材の切断面を隠すために、図示は省略するが、仕上げ材（化粧材）としての幅木を各壁面３１０ａ〜３１０ｄと畳フローリング材１００との接触部分に一周（出入り口などは除く）に渡って取り付けることが好ましい。
【００９８】
このように、畳フローリング材１００は、一般的な木製フローリング材とほぼ同様の施工の仕方で敷設することができる。また、図７のように、それぞれの列において隣接する畳フローリング材１００が長辺方向において所定長さだけ「ずれ」が生じるような配列とすることにより、敷設が終了した状態においては、部屋全体が一般的な木製フローリングと同様に互い違いのモザイク模様とすることができる（図７（ｂ）参照。）。
【００９９】
なお、ある列（例えば１列）において畳フローリング材が余ることなく、丁度の長さであった場合には、次の列（２列）の先頭においては、畳フローリング材を例えば、１／２などに切断したものを貼るというように、隣接する列における先頭の畳フローリング材１００の長さを「通常の長さ」と「１／２の長さ」を交互に繰り返すことによって、上記したように、互い違いのモザイク模様とすることができる。
【０１００】
また、図７（ｂ）の施工例では、それぞれの列において隣接する畳フローリング材１００が長辺方向において１／２の長さだけ「ずれ」が生じるような配列としたが、ずれの大きさは１／２に限られるものではなく、「ずれ」の大きさは任意に設定可能であるである。このようにすることにより、一般的な木製フローリングにより近い雰囲気を持たせることができる。
【０１０１】
図８は、敷設の仕方の変形例を説明するために示す図である。すなわち、上記した図７の施工例においては、それぞれの列において隣接する畳フローリング材１００が長辺方向において所定長さ（１／２の長さ）だけ「ずれ」が生じた状態での配列としたが、このような配列とすることなく、図８に示すように、各畳フローリング材１００の各短辺（１０２ｃ，１０２ｄ）がｙ軸に沿った同一直線上となるような配列となるように施工することも可能である。この場合、畳フローリング材１００をｘ軸に沿った方向に並べて敷設したときに、各列の最後段の畳フローリング材の長さに余りが生じる場合は、各列ごとに余った部分を切断すればよい。
【０１０２】
以上説明したように、実施形態１に係る畳フローリング材１００は、畳表１４０によって芯材１１０の上面１１１ａを覆うとともに芯材１１０の各端面１１２ａ〜１１２ｄから下面１１１ｂの周縁部（余白部１１５）までを覆うように芯材１１０に貼り付けられているため、個々の畳フローリング材１００において畳表１４０の切断面が人目につくところに現れることがない。このため、畳縁（畳べり）を設ける必要がなく、洋間の雰囲気を損なわない畳フローリング材１００とすることができる。
【０１０３】
また、畳フローリング材１００の横方向の辺の長さを６００ｍｍとしているため、一般的な畳においては不適合となった長さのイ草をも使用可能となり、刈り取った「イ草」を有効利用することができる。
【０１０４】
また、畳フローリング材１００は、短辺１０２ｃ，１０２ｄが直線であることは勿論のこと、長辺１０２ａ，１０２ｂも当該長辺１０２ａ，１０２ｂの一方の端部から他方の端部までがほぼ一直線となり、かつ、長辺１０２ａ，１０２ｂと短辺１０２ｃ，１０２ｄとのなす角度が直角であるため、敷設が終了した状態においては、隣接する各畳フローリング材は、短辺同士は勿論のこと長辺同士も隙間なく敷き詰められた状態となる。
【０１０５】
このように、長辺１０２ａ，１０２ｂの一方の端部から他方の端部までが直線となり、かつ、長辺１０２ａ，１０２ｂと短辺１０２ｃ，１０２ｄとのなす角度が直角となるのは、上記したように、芯材１１０の四隅の各角部に形成されている面取り部１１３によって、畳表を折り重ねることにより生じる畳表の膨らみを吸収することができるからである。
【０１０６】
また、隣接する各畳フローリング材に隙間が生じることなく畳フローリング材を敷設することができるのは、上記した理由の他に、芯材１１０の各端面１１２ａ〜１１２ｄが上面１１１ａから下面１１１ｂに向かって内側に傾斜する傾斜面となっているためである。
【０１０７】
このように、芯材１１０の各端面１１２ａ〜１１２ｄが上面１１１ａから下面１１１ｂに向かって内側に傾斜する傾斜面となっていることにより、隣接する畳フローリング材１００同士が「面接触」ではなく、辺と辺とによる「線接触」となるため、隣接する各畳フローリング材に隙間が生じることなく畳フローリング材１００を敷設することができる。すなわち、隣接する畳フローリング材同士が各端面において面接触で接触していると、畳フローリング材の各端面に存在する畳表のわずかな膨らみなどの影響を受けて隙間が生じ易くなるが、隣接する畳フローリング材の辺と辺とによる線接触で接触している場合には、そのような影響を受けにくいからである。
【０１０８】
また、畳フローリング材１００は、各端面に本実（ほんざね）加工と呼ばれる凹凸加工が施されている一般的な木製フローリング材と異なり、隣接する畳フローリング材同士は、凹凸によって嵌め合わされた状態で敷設されるものではないため、敷設後において、仮に、ある特定箇所の畳フローリング材のみを交換するような場合、交換対象となる畳フローリング材のみを取り外して、新たな畳フローリング材を敷設するといった補修工事も容易に行える。
【０１０９】
［実施形態２］
上記した実施形態１においては、部屋全体に畳フローリング材を敷き詰める場合について説明したが、実施形態２においては、部屋の一部（例えば、部屋の中央部の所定範囲）に畳フローリング材を敷設する場合について説明する。
【０１１０】
図９は、実施形態２に係る畳フローリング材２００を説明するために示す図である。なお、図９（ａ）は畳フローリング材２００をｚ軸に沿って上面１０１ａを見た場合の平面図であり、図９（ｂ）は畳フローリング材２００をｚ軸に沿って下面１０１ｂを見た場合の平面図であり、図９（ｃ）は畳フローリング材２００をｙ軸に沿って端面１０３ａを見た場合の側面図である。
【０１１１】
畳フローリング材２００は、畳フローリング材本体２１０の裏面側に滑り止め部材として滑り止めシート２２０を貼り付けた構成となっている。なお、畳フローリング材本体２１０は、実施形態１において説明した畳フローリング材１００と同じ構成となっている。このため、畳フローリング材１００と同一部分には同一符号が付されている。
【０１１２】
畳フローリング材２００は、図９に示すように、畳フローリング材本体２１０（畳フローリング材１００）の裏面側に滑り止めシート２２０が貼り付けられている。なお、滑り止めシート２２０としては、例えば、滑り止め加工を施したシート状のフェルト材などを使用することができる。このようなフェルト材は市販のものを使用することができる。
【０１１３】
滑り止めシート２２０は、畳フローリング材本体２１０（畳フローリング材１００）に対応する形状をなし、実施形態２に係る畳フローリング材２００においては、畳フローリング材本体２１０（畳フローリング材１００）と相似形状をなしている。なお、畳フローリング材２００においては、滑り止めシート２２０の横方向の長さＬ７及び縦方向の長さＬ８が畳フローリング材本体２１０（畳フローリング材１００）の横方向の長さ（約６００ｍｍ）及び縦方向の長さ（約１５０ｍｍ）と同じであるとしている。また、滑り止めシート２２０の厚みＴ３は、畳フローリング材２００の厚みに大きな影響を与えなければ特に限定されるものではないが、３ｍｍ以下のものが好ましい。
【０１１４】
このような寸法を有する滑り止めシート２２０を畳フローリング材本体２１０の下面（畳フローリング材１００の下面１０１ｂ）に貼り付けることにより、畳フローリング材２００とすることができる。なお、滑り止めシート２２０は、畳フローリング材本体２１０の上面１０１ａの４辺（長辺１０２ａ，１０２ｂ及び短辺１０２ｃ、１０２ｄ）のうち、直交する２辺（例えば、長辺１０２ａと短辺１０２ｄ）からそれぞれ所定長さΔＬ（ΔＬ＝１５ｍｍ〜３０ｍｍ程度）だけ外方に突出するように畳フローリング材２００の下面１０１ｂに貼り付けられている。
【０１１５】
このため、畳フローリング材２００の下面においては、滑り止めシート２２０が貼り付けられていない領域が存在することとなる。なお、畳フローリング材２００の裏面において、滑り止めシート２２０が貼り付けられていない領域を「滑り止めシート非貼着領域２３０」と呼ぶことにする。
【０１１６】
図１０は、畳フローリング材２００の敷設の仕方を説明するために示す図である。図１０（ａ）は２つの畳フローリング材（図１０に限っては畳フローリング材２００Ａ、畳フローリング材２００Ｂとする。）をｘ軸に沿って敷設する場合を示す図であり、図１０（ｂ）は２つの畳フローリング材２００Ａ，２００Ｂをｙ軸に沿って敷設する場合を示す図である。
【０１１７】
図１０（ａ）に示すように、畳フローリング材２００Ａ，２００Ｂをｘ軸方向に沿って敷設する場合、畳フローリング材２００Ａにおける滑り止めシート（滑り止めシート２２０Ａとする。）における短辺側突出部と、畳フローリング材２００Ｂにおける滑り止めシート非貼着領域（滑り止めシート非貼着領域２３０Ｂとする。）とが対向した状態となるため、畳フローリング材２００Ａの滑り止めシート２２０Ａと畳フローリング材２００Ｂの滑り止めシート（滑り止めシート２２０Ｂとする。）とが重なり合うことがない。
【０１１８】
同様に、畳フローリング材２００Ａ，２００Ｂをｙ軸方向において隣接するように敷設する場合も、畳フローリング材２００Ａにおける滑り止めシート２２０Ａの長辺側突出部と、畳フローリング材２００Ｂにおける滑り止めシート非貼着領域２３０Ｂとが、互いに対向した状態となるため、畳フローリング材２００Ａの滑り止めシート２２０Ａと畳フローリング材２００Ｂの滑り止めシート２２０Ｂとが重なり合うことがない。
【０１１９】
これにより、畳フローリング材２００を部屋の一部の所定範囲に敷き詰めるように敷設した場合、滑り止めシート２２０の重なり合いによる段差が生じることなく、敷設範囲全体を平坦とすることができる。
【０１２０】
図１１は、部屋３００の一部の所定範囲に複数枚の畳フローリング材２００を敷設した状態を示す図である。なお、図１１においては、畳フローリング材２００の長辺１０２ａ，１０２ｂをｘ軸に沿った方向とし、短辺１０２ｃ，１０２ｄをｙ軸に沿った方向として、ｘ軸に沿った方向においては３枚、ｙ軸に沿った方向においては１２枚敷設した場合を示している。
【０１２１】
実施形態２に係る畳フローリング材２００を用いることにより、従来用いられていた囲い枠（例えば、図１４における枠体９１０）が不要となる。これは、畳フローリング材２００は、裏面に滑り止めシート２２０が設けられているためである。
【０１２２】
なお、図１１に示すように畳フローリング材２００を敷設する場合、ｘ軸方向及びｙ軸方向においてそれぞれ最後尾に位置する畳フローリング材においては、長辺１０２ａ及び短辺１０２ｄから突出している滑り止めシート２２０の突出部が露出したままとなるため、当該滑り止めシートの突出部を切断することが美観上好ましい。
【０１２３】
図１１に示すように敷設された畳フローリング材２００は、畳フローリング材２００に特別な外力を与えない限り、敷設された畳フローリング材２００が動いてしまうということは殆どない。
【０１２４】
なお、図１１おいては、各畳フローリング材２００の短辺１０２ｃ，１０２ｄがそれぞれｙ軸に沿った方向において同一線上となるような配置の仕方で敷設したが、図７と同様の配置となるように敷設すれば、互い違いのモザイク模様とすることができる。
【０１２５】
また、畳フローリング材２００の長辺方向の長さを、標準サイズ（６００ｍｍとする。）と、当該標準サイズの例えば１／２サイズ（３００ｍｍ）、２／３サイズ（４００ｍｍ）、３／４サイズ（４５０ｍｍ）などを用意し、これらのサイズの畳フローリング材を例えば長辺に沿った方向（ｘ軸に沿った方向）の途中に介在させるというようにすれば、畳フローリング材を切断することなく、畳フローリング材の長辺に沿った方向の敷設範囲をある程度任意に設定することができる。また、このようなサイズの異なる畳フローリング材を用意しておくことにより、図７（ｂ）に示すような配列での敷設を容易に実現できる。
【０１２６】
以上説明したように、実施形態２に係る畳フローリング材２００によれば、各畳フローリング材２００ごとに裏面に滑り止めシートが設けられているため、実施形態１に係る畳フローリング材１００で得られる効果に加えて、部屋の一部の所定範囲に当該畳フローリング材を複数枚敷設する場合であっても、囲い枠などを設けることなく敷設することができるといった効果が得られる。このため、実施形態２に係る畳フローリング材２００を用いることにより、専門業者などに施工してもらう必要がなく、容易に好みのスペースに畳フローリング材２００を敷設することができる。
【０１２７】
なお、本発明は上述の実施形態に限られるものではなく、本発明の要旨を逸脱しない範囲で種々変形実施可能となるものである。たとえば、下記に示すような変形実施も可能である。
【０１２８】
（１）上記各実施形態においては、畳フローリング材１００，２００の寸法を、長辺を６００ｍｍ、短辺を１５０ｍｍとし、厚みを約１７ｍｍとした場合を例示したが、これに限られるものではない。ただし、通常の畳（幅が約９００ｍｍ）を製造する際に、不適合とされたイ草を有効利用できるようにすることを考えると、長辺の長さ（イ草の丈に沿った方向の長さ）は８００ｍｍ以下に抑えることが好ましい。また、長辺の長さが短すぎると、敷設しにくいといった課題もあるため、畳フローリング材としては、長辺の長さが８００ｍｍ〜２００ｍｍの範囲内とすることが好ましい。
【０１２９】
なお、長辺と短辺は、８００ｍｍ〜２００ｍｍの範囲で種々設定可能である。上記各実施形態においては、畳フローリング材１００，２００の寸法を、長辺を６００ｍｍ、短辺を１５０ｍｍとしたが、京間サイズ、中京間サイズ、江戸間サイズ、団地サイズなどに対応可能とするためには、長辺を「６００ｍｍ」、短辺を「１５０ｍｍ」というように決めずに、長辺は「約６００ｍｍ」、短辺は「約１５０ｍｍ」というように、６００ｍｍ及び１５０ｍｍに対して許容範囲を持たせることも可能である。ここで、「約６００ｍｍ」というのは、「５５０ｍｍ〜６５０ｍｍ」の範囲内であり、「約１５０ｍｍ」というのは、「１４０ｍｍ〜１６０ｍｍ」の範囲内である。
【０１３０】
また、畳フローリング材１００，２００の厚みは、通常の畳よりも十分に薄いことが好ましく、３０ｍｍ〜１０ｍｍ程度の範囲となるようにすることが好ましい。
【０１３１】
（２）上記各実施形態においては、畳フローリング材１００，２００は短冊状（細長い長方形状）としたが、正方形であってもよい。畳フローリング材１００，２００を正方形とする場合には、例えば、一辺が３００ｍｍ又は４５０ｍｍ程度の大きさとすることが、敷設のし易さ及び外観上などの面で好ましい。このように、４５０ｍｍ及び３００ｍｍというサイズは、上記６００ｍｍ及び１５０ｍｍと同様、日本における住宅などの間取りの基準となるサイズの１／ｎ（ただし、ｎは自然数）のサイズであるために、施工のし易さなど種々の面で好都合なものとなる。
【０１３２】
なお、この場合も、京間サイズ、中京間サイズ、江戸間サイズ、団地サイズなどに対応可能とするためには、「４５０ｍｍ」又は「３００ｍｍ」というように決めずに、「約４５０ｍｍ」又は「約３００ｍｍ」というように、４５０ｍｍ及び３００ｍｍに対して許容範囲を持たせることも可能である。ここで、「約４５０ｍｍ」というのは、４２０ｍｍ〜４８０ｍｍの範囲内であり、「約３００ｍｍ」というは、２８０ｍｍ〜３２０ｍｍの範囲内である。
【０１３３】
（３）上記各実施形態においては、芯材１１０の面取り部１１３は、芯材１１０の端面１１２ａ、１１２ｂ両端部を斜めに切断することによって形成するようにしたが、これに限られるものではない。
【０１３４】
図１２は、芯材１１０に形成される面取り部１１３の変形例を説明するために示す図である。芯材１１０に形成される面取り部１１３は、図１２に示すように、芯材１１０の四隅の各角部がＬ字型に切除されているものであってもよい。この場合、切除する部分の長辺に沿った方向の長さＬ１０は３０ｍｍ〜４０ｍｍ程度、短辺に沿った方向の長さＬ１１は畳表２枚分の厚み（例えば３ｍｍ〜４ｍｍ）程度とすることが好ましい。
【０１３５】
（４）上記各実施形態においては、添え板１３０を芯材１１０の下面に貼り付けることによって、芯材１１０の下面側に台座を形成するようにしたが、台座は芯材と一体成型されたものであってもよい。このように、台座を芯材に一体成型されたものとすることにより、添え板１３０を別部品として用意する必要がなくなる。
【０１３６】
（５）上記各実施形態においては、芯材１１０は、木材を細かく砕いて粉粒状としたものを圧縮して成型したものを用いたが、これに限られるものではなく、合板によって作られたものであってもよい。
【０１３７】
また、芯材は必ずしも木材を素材として製造されている必要はなく、例えば、合成樹脂によって製造されたものであってもよい。また、木製の芯材（例えば実施形態において用いた芯材１１０）の少なくとも上面に合成樹脂をモールドしたものであってもよい。なお、合成樹脂を適度な弾力を有するものとすれば、畳表１４０と芯材１１０との間にはクッション材１２０を介在させなくても済む場合もある。また、芯材１１０の全体を合成樹脂とすることにより、添え板１３０と同等の台座を一体成形により容易に形成することができる。
【０１３８】
（６）上記実施形態２においては、滑り止めシート２２０は畳フローリング材本体２１０（畳フローリング材１００）と相似形状とし、かつ、滑り止めシート２２０の横方向の辺の長さ及び縦方向の辺の長さを畳フローリング材本体２１０（畳フローリング材１００）と同じとしたが、滑り止めの効果を損なわない範囲で、当該滑り止めシート２２０の横方向の辺の長さ及び縦方向の辺の長さの一方又は両方を、畳フローリング材本体２１０（畳フローリング材１００）よりも小さくしてもよい。また、滑り止め効果が得られ、かつ、隣接する畳フローリング材同士において、互いに滑り止めシートが重なり合わないようにできれば、必ずしも、畳フローリング材本体２１０（畳フローリング材１００）と相似形である必要はない。
【符号の説明】
【０１３９】
１００，２００・・・畳フローリング材、１０２ａ，１０２ｂ・・畳フローリング材１００の横方向の辺（長辺）、１０２ｃ，１０２ｄ・・畳フローリング材１００の縦方向の辺（短辺）、１１０・・・芯材、１１１ａ・・・芯材１１０の上面、１１１ｂ・・・芯材１１０の下面、１１２ａ，１１２ｂ・・・芯材１１０の横方向端面、１１２ｂ、１１２ｃ・・・芯材１１０の縦方向端面、１１３…面取り部、１１５・・・余白部（畳表接着しろ）、１１６ａ，１１６ｂ・・・芯材１１０の横方向の辺（長辺）、１１６ｃ，１１６ｄ・・芯材１１０の縦方向の辺（短辺）、１２０・・・クッション材、１３０・・・添え板、１４０・・・畳表、１４１ａ，１４１ｂ・・・縦方向延出部、１４１ｃ，１４１ｄ・・・横方向延出部、２１０・・・畳フローリング材本体（畳フローリング材１００）、２１０ａ、２１０ｂ・・・畳フローリング材本体２１０の下面側の長辺、２１０ｃ、２１０ｄ・・・畳フローリング材本体２１０の下面側の短辺、２２０・・・滑り止めシート、２３０・・・滑り止めシート非貼着領域、３００・・・部屋、３１０ａ〜３１０ｄ・・・壁面、Ｈ１，Ｈ２・・・切断線、Ｋ・・・畳表１４０の出っ張り部、Ｌ１・・・畳フローリング材の横方向の辺の長さ、Ｌ２・・・畳フローリング材の縦方向の辺の長さ、Ｌ・・・畳フローリング材の横方向の辺の長さ、Ｔ１・・・畳フローリング材の厚み、α・・・芯材１１０の横方向の長さ、β・・・芯材１１０の縦方向の長さ、γ・・・芯材１１０の厚み、δ・・・「畳表接着しろ」における畳表の接着幅、
【図１】
0006050948.tif 000002
【図２】
0006050948.tif 000003
【図３】
0006050948.tif 000004
【図４】
0006050948.tif 000005
【図６】
0006050948.tif 000006
【図７】
0006050948.tif 000007
【図８】
0006050948.tif 000008
【図９】
0006050948.tif 000009
【図１０】
0006050948.tif 000010
【図１１】
0006050948.tif 000011
【図１２】
0006050948.tif 000012
【図１３】
0006050948.tif 000013
【図１４】
0006050948.tif 000014
【図５】
0006050948.tif 000015